(57)【要約】      （修正有）【課題】子供の身長が低いときから、子供が成長して身長が伸びたときまで、長期に渡り、使い易い状態で使用することができるキーケースを提供する。【解決手段】キーケース１が、表シート２ａと裏シートとを有し扁平な袋状に形成された本体部３を有し、本体部３の一端側に、該一端側を横架する半円弧状部３ａと該半円弧状部３ａに連設された直線部３ｂとを有する開口部３ｃが設けられ、本体部３の他端側に、平坦部３ｄが設けられ、開口部３ｃの全長に渡り設けられ、表シート２ａと裏シートとを開閉させるファスナー４と、本体部３の一端側及び他端側に配した連結環５ａ、５ｂと、鍵６を接続する接続部７ａを端部に設けたリール紐７ｂが捲回され、本体部３の他端側に固定される巻取リール７と、本体部３の中央部の両側縁よりそれぞれ延出された二枚の舌片８ａ、８ｂと、二枚の舌片８ａ、８ｂを互いに重ねて固定する係合部と、を有する。【選択図】図１
0003225437.tif 000002
【実用新案登録請求の範囲】
【請求項１】
鍵を収容するキーケースであって、
前記キーケースが、
表面シートと裏面シートとを有し扁平な袋状に形成された本体部を有し、
前記本体部の一端側に、該一端側を横架する半円弧状部と該半円弧状部に連設された直線部とを有する開口部が設けられ、
前記本体部の他端側に、平坦部が設けられ、
前記開口部の全長に渡り設けられ、前記表シートと前記裏シートとを開閉させるファスナーと、
前記本体部の一端側及び他端側に配した連結環と、
鍵を接続する接続部を端部に設けたリール紐が捲回され、前記本体部の他端側に固定される巻取リールと、
前記本体部の中央部の両側よりそれぞれ延出された二枚の舌片と、
前記二枚の舌片を互いに重ねて固定する係合部と、
を有したことを特徴とするキーケース。
【請求項２】
前記本体部の内部における、巻取リールが固定された領域と、ファスナーで開け閉めする開口部側の領域とを、隔壁部Ｗで区画したことを特徴とする前記１項に記載のキーケース。
【考案の詳細な説明】
【技術分野】
【０００１】
本考案は、鍵を収納するキーケースに関するものであり、特にランドセルを背負った子供が使用するのに適したキーケースである。
【背景技術】
【０００２】
従来より、ランドセルのベルトに取り付ける構造のキーケースは知られている。このキーケースは、ランドセルと一体となったキーケースの内部に鍵を収容するため、鍵の紛失が予防され、またその鍵をキーケース内部に設けられた巻取リールに取り付ることにより、鍵を家の鍵穴に挿して使用したのちに、鍵を鍵穴に挿したまま取り忘れてしまうことが防止できる（一例として、特許文献１参照）。
【先行技術文献】
【特許文献】
【０００３】
【特許文献１】登録実用新案第３１８８７００号公報
【考案の概要】
【考案が解決しようとする課題】
【０００４】
前記キーケースは、キーケースの開口部を上方に向けた状態でランドセルの肩ベルトに取り付け、その状態でファスナーを開放して鍵を上方に引き出し、キーケースより高い位置にあるドアの鍵穴に挿す場合には、リールから引き出されたリール紐が、キーケースの開口部の口端と摺接し難いことから、リール紐が引き出し難くなってしまうことはない。
これは、子供の身長が低く、ランドセルの肩ベルトに取り付けたキーケースの位置が、鍵穴の高さに対して低い位置の場合はそうなるが、子供の成長により身長が伸びて、ランドセルの肩ベルトに取り付けたキーケースの位置が、鍵穴の高さに対して高くなった場合には、今度は逆に、開口部が上方を向いたキーケースのリールから引き出されたリール紐が、キーケースの開口部の口端と摺接し易くなり、鍵の出し入れの際に、リール紐に擦れるような負担が掛かり、鍵の出し入れがし難くなったり、リール紐が切れ易くなる虞がある。
【０００５】
本考案の目的は、子供の身長が低いときから、子供が成長して身長が伸びたときまで、長期に渡り、使い易い状態で使用することが可能なキーケースを提供することである。
【課題を解決するための手段】
【０００６】
本考案は、
「１．鍵を収容するキーケースであって、
前記キーケースが、
表面シートと裏面シートとを有し扁平な袋状に形成された本体部を有し、
前記本体部の一端側に、該一端側を横架する半円弧状部と該半円弧状部に連設された直線部とを有する開口部が設けられ、
前記本体部の他端側に、平坦部が設けられ、
前記開口部の全長に渡り設けられ、前記表シートと前記裏シートとを開閉させるファスナーと、
前記本体部の一端側及び他端側に配した連結環と、
鍵を接続する接続部を端部に設けたリール紐が捲回され、前記本体部の他端側に固定される巻取リールと、
前記本体部の中央部の両側よりそれぞれ延出された二枚の舌片と、
前記二枚の舌片を互いに重ねて固定する係合部と、
を有したことを特徴とするキーケース。
２．前記本体部の内部における、巻取リールが固定された領域と、ファスナーで開け閉めする開口部側の領域とを、隔壁部で区画したことを特徴とする前記１項に記載のキーケース。」である。
【０００７】
本考案のキーケースによれば、舌片が本体部の中央部に設けられ、連結環が本体部の一端側と他端側の両側に設けられることから、キーケースの開口部が上方に向くようにして舌片を肩ベルトに巻いて取り付けた場合には、一端側の連結環に装着したナスカンやカラビナを、当該キーケースの上方に位置する肩ベルトのＤ環に通すことで、キーケースをずり落ちないようにすることができ、キーケースの開口部が下方に向くようにして舌片を肩ベルトに巻いて取り付けた場合には、他端側の連結環に装着したナスカンやカラビナを、キーケースの上方に位置する肩ベルトのＤ環に通すことで、キーケースをずり落ちないようにすることができる。
これにより、子供の身長が低く、ランドセルの肩ベルトに取り付けたキーケースの位置が、鍵穴の高さに対して低い場合には、開口部が上方を向くように取り付け、また、子供の成長により身長が伸びて、ランドセルの肩ベルトに取り付けたキーケースの位置が、鍵穴の高さに対して高くなった場合には、今度は逆に、開口部が下方を向くように取り付けることで、いずれの場合においても、キーケースのリールから引き出されたリール紐が、キーケースの開口部の口端と摺接し難くなり、鍵の出し入れの際に、リール紐に擦れるような負担が軽減され、鍵の出し入れがし易い状態で、長期に渡り、使用することができるものとなる。
尚、開口部を、本体部の一端側を横架する半円弧状部と該半円弧状部に連設された直線部とで構成することで、開口部の全長に渡り設けられたファスナーが、開放し易いものとなり、また開口部を大きく開くことができる。
また、本体部の一端側には半円弧状部が設けられ、他端側には平坦部が設けられることから、その形状の違いにより、ファスナーがある開口部、つまり半円弧状部がある方を簡単に見分けることができ、子供の身長が変化し、ランドセルに対するキーケースの取り付け方向を上下反対にした直後であっても、子供が、ファスナーのある開口部を簡単に知ることができ、使い勝手がよいものとなる。
【０００８】
さらに、前記本体部の内部における、巻取リールが固定された領域と、ファスナーで開け閉めする開口部側の領域とを、隔壁部で区画することにより、本体部の内部に鍵を入れる際に巻取リールが見えず、デザイン性に優れ、接続部に複数の鍵を接続して本体部に収容させる際にも、本体部の内部で巻取リールに鍵が引っ掛かってしまうようなことがなく、さらに、巻取リール側にホコリなどのゴミが進入し難くなることから、巻取リールが故障し難い構造となる。また、さらに、表シート及び裏シートの材質を合皮や布帛など柔らかいもので形成することにより、鍵を引き出し、巻取リールがリール紐を勢いよく引っ張って鍵を本体部の内部に収容させる際にも、表シート及び裏シートの裏地により、鍵及びそれを接続した接続部が巻取リールに向かって衝突する時の衝撃を緩和させることができるものとなる。
【図面の簡単な説明】
【０００９】
【図１】本実施形態のキーケースを表側から見た図である。
【図２】本実施形態のキーケースを裏側から見た図である。
【図３】図２のキーケースの舌片を開いた状態の図である。
【図４】本実施形態のキーケースの使用状態を示し、開口部を上方に向けてランドセルに取り付けた状態の図である。
【図５】本実施形態のキーケースの使用状態を示し、開口部を下方に向けてランドセルに取り付けた状態の図である。
【考案を実施するための形態】
【００１０】
以下、図面を参照して本考案におけるキーケースの実施例について説明を行う。尚、説明を分かり易くするために、図面中の同様の部材、同様の部分については同じ番号を付してある。
【００１１】
図１から図３に基づいて本考案におけるキーケースについて説明する。図１は、本実施形態のキーケースを表側から見た図である。図２は、本実施形態のキーケースを裏側から見た図である。図３は、図２のキーケースの舌片を開いた状態の図である。
【００１２】
図に示す通り、本実施形態のキーケース１は、表シート２ａと裏シート２ｂとで、扁平な袋状の本体部３を形成している。本実施形態では、表シート２ａ及び裏シート２ｂの材質（基材）は合皮で形成してあり、双方を縫製することで袋状に形成ある。また、表シート２ａ及び裏シート２ｂの材質は合皮以外にも、皮革、ニット、布帛などを使用することができる。
【００１３】
本体部３の一端側には、該一端側を横架する半円弧状部３ａと該半円部３ａの両側に連設された直線部３ｂとを有する開口部３ｃが設けられている。開口部３ｃには、該開口部３ｃの全長に渡り設けられ、表シート２ａと裏シート２ｂとを開閉させるファスナー４が設けられており、開口部３ｃが一端側を横架する半円弧状部３ａと該半円弧状部３ａに連設された直線部３ｂとで構成されていることから、ファスナー４が開放し易いものとなり、また開口部３ｃを大きく開くことができる。本体部３の他端側には、平坦部３ｄが設けられている。
【００１４】
本体部３の一端側には連結環５ａが配設され、本体部３の他端側には連結環５ｂが配設されている。本実施形態では、連結環５ａ，５ｂとしてＤカンを用いたが、他に丸カンや角カンなどを使用することができる。図１から図３に示すキーケース１では、本体部３の一端側に設けた連結環５ａに、二重リング１０を介してナスカン１１を取り付けてあり、ナスカン１１をランドセルのＤカンに取り付けることができる。
【００１５】
本体部３の他端側の内方には、鍵６を接続する接続部７ａが端部に設けられたリール紐７ｂを捲回した巻取リール７が固定されている。巻取リール７は、内部のリール紐７ｂを伸縮自在とし、接続部７ａに接続された状態の鍵６を、手で引っ張り出して、巻取リール７から約７０ｃｍの距離まで引き出すことができ、手から鍵６を離すことで、巻取リール７内のゼンマイ（不図示）でリール紐７ｂを巻き取り、再び鍵６を本体部３へ収容させることができる。本体部３の内部において、巻取リール７が固定された領域と、ファスナー４で開け閉めする開口部３ｃ側の領域とが、隔壁部Ｗで区画されていることから、本体部３の内部に鍵６を入れる際に巻取リール７が見えず、デザイン性に優れ、接続部７ａに複数の鍵を接続して本体部３に収容させる際にも、本体部３の内部で巻取リール７に鍵が引っ掛かってしまうようなことがなく、さらに、巻取リール７側にホコリなどのゴミが進入し難くなることから、巻取リール７が故障し難い構造となっている。隔壁部Ｗは、表シート２ａと裏シート２ｂとを、中心部ＷＳのみ開放させて縫い付けることで形成してあり、中心部ＷＳをリール紐７ｂが挿通するようにしてある。これにより巻取リール７は、本体部３の他端側から一端側への移動が隔壁部Ｗで規制されて固定されることになり、また、接続部７ａは、隔壁部Ｗに規制されて巻取リール７側には移動できないようになっている。なお、本実施形態では、表シート２ａ及び裏シート２ｂの材質を合皮で形成してあることから、鍵６を引き出し、巻取リール７がリール紐７ｂを勢いよく引っ張って鍵６を本体部３の内部に収容させる際にも、表シート２ａ及び裏シート２ｂの裏地により、鍵６及びそれを接続した接続部７ａが巻取リール７に向かって衝突する時の衝撃を緩和できる。
【００１６】
本体部３の中央部の両側には、二枚の舌片８ａ，８ｂがそれぞれ延出されている。二枚の舌片８ａ，８ｂには、互いに重ねて固定することができる係合部が設けられている。本実施形態の係合部は、メス側の面ファスナー９ａとオス側の面ファスナー９ｂとで構成したが、これに限定されることはなく、他にもスナップボタンやマグネットなど、二枚の舌片８ａ，８ｂが係合できるものを使用することができる。二枚の舌片８ａ，８ｂは、ランドセルの肩ベルトに巻き付ける長さであればよい。舌片８ａ，８ｂによりキーケース１が肩ベルトに固定された場合には、肩ベルトに対するキーケース１の横方向へのずれ防止となり、さらにキーケース１がナスカン１１で肩ベルトのＤカンに固定されることによって、キーケース１自体が振動等で下へずり下がることも防止される。これは特に、肩ベルトの巾が上方から下方に向けて細くなる構造のランドセルにおいて好適である。
【００１７】
次に図４及び図５を用いて、本実施形態のキーケースの使用状態について説明をする。
図４は、本実施形態のキーケースの使用状態を示し、開口部を上方に向けてランドセルに取り付けた状態の図である。図５は、本実施形態のキーケースの使用状態を示し、開口部を下方に向けてランドセルに取り付けた状態の図である。
【００１８】
図４に示したキーケース１は、子供の身長が低く、ランドセル１００の肩ベルト１１０に取り付けたキーケース１の位置が、鍵穴ＫＨの高さに対して低い場合の取り付け状態であり、キーケース１の開口部３ｃが上方を向くようにして肩ベルト１１０に取り付けられている。また、図４に示したキーケース１は、肩ベルト１１０のＤカン１２０に、一端側の連結環５ａに接続したナスカン１１を取り付けた状態で、肩ベルト１１０の表面にキーケース１の本体部３の裏シート２ｂを接触させ、肩ベルト１１０の裏面に舌片８ａを巻き付け、次いで舌片８ｂを舌片８ａに重ねるよう肩ベルト１１０に巻き付けることで、メス側の面ファスナー９ａとオス側の面ファスナー９ｂとが係合され、肩ベルト１１０に対してキーケース１が固定され、肩ベルト１１０に対するキーケース１の横方向へのずれが防止される（図３参照）。さらに、キーケース１がナスカン１１で肩ベルト１１０のＤカン１２０に固定されていることによって、キーケース１自体が振動等でずり落ちることが防止される。
【００１９】
図４に示すように、ランドセル１００の肩ベルト１１０に取り付けたキーケース１より高い位置にある鍵穴ＫＨに対して、キーケース１から引き出した鍵６を挿す場合、キーケース１のリール７から引き出されたリール紐７ｂが、キーケース１の開口部３ｃの口端と摺接し難くなり、鍵６の出し入れの際に、リール紐７ｂに擦れるような負担が軽減され、鍵６の出し入れがし易い状態となる。
【００２０】
図５に示したキーケース１は、子供の身長が高く、ランドセル１００の肩ベルト１１０に取り付けたキーケース１の位置が、鍵穴ＫＨの高さに対して高い場合の取り付け状態であり、キーケース１の開口部３ｃが下方を向くようにして肩ベルト１１０に取り付けられている。また、図５に示したキーケース１は、肩ベルト１１０のＤカン１２０に、他端側の連結環５ｂに接続したナスカン１１を取り付けた状態で、舌片８ａ及び舌片８ｂを前述と同様に肩ベルト１１０に巻き付け、メス側の面ファスナー９ａとオス側の面ファスナー９ｂとを係合して、肩ベルト１１０に対してキーケース１を固定し、肩ベルト１１０に対するキーケース１の横方向へのずれが防止される。さらに、キーケース１がナスカン１１で肩ベルト１１０のＤカン１２０に固定されていることによって、キーケース１自体が振動等でずり落ちることも同様に予防される。
【００２１】
図５に示すように、ランドセル１００の肩ベルト１１０に取り付けたキーケース１より低い位置にある鍵穴ＫＨに対して、キーケース１から引き出した鍵６を挿す場合、キーケース１のリール７から引き出されたリール紐７ｂが、キーケース１の開口部３ｃの口端と摺接し難くなり、鍵６の出し入れの際に、リール紐７ｂに擦れるような負担が軽減され、鍵６の出し入れがし易い状態となる。
【００２２】
したがって、本実施形態のキーケース１は、子供の身長が低くても、高くても、同様に鍵６の出し入れがし易く、リール紐７ｂに掛かる負担を軽減することができ、キーケース１が振動等でずり落ちることが防止される構造である。
【符号の説明】
【００２３】
１…キーケース、
２ａ…表シート、２ｂ…裏シート、
３…本体部、３ａ…半円弧状部、３ｂ…直線部、３ｃ…開口部、３ｄ…平坦部、
４…ファスナー、
５ａ…連結環、５ｂ…連結環、
６…鍵、
７…巻取リール、７ａ…接続部、７ｂ…リール紐、
８ａ，８ｂ…舌片、
９ａ…メス側の面ファスナー、９ｂ…オス側の面ファスナー、
１０…二重リング、
１１…ナスカン、
Ｗ…隔壁部、ＷＳ…中心部、
１００…ランドセル、１１０…肩ベルト、１２０…Ｄカン、
ＫＨ…鍵穴。
【図１】
0003225437.tif 000003
【図２】
0003225437.tif 000004
【図３】
0003225437.tif 000005
【図４】
0003225437.tif 000006
【図５】
0003225437.tif 000007
【手続補正書】
【提出日】令和1年12月24日(2019.12.24)
【手続補正１】
【補正対象書類名】実用新案登録請求の範囲
【補正対象項目名】全文
【補正方法】変更
【補正の内容】
【実用新案登録請求の範囲】
【請求項１】
鍵を収容するキーケースであって、
前記キーケースが、
表シートと裏シートとを有し扁平な袋状に形成された本体部を有し、
前記本体部の一端側に、該一端側を横架する半円弧状部と該半円弧状部に連設された直線部とを有する開口部が設けられ、
前記本体部の他端側に、平坦部が設けられ、
前記開口部の全長に渡り設けられ、前記表シートと前記裏シートとを開閉させるファスナーと、
前記本体部の一端側及び他端側に配した連結環と、
鍵を接続する接続部を端部に設けたリール紐が捲回され、前記本体部の他端側に固定される巻取リールと、
前記本体部の中央部の両側よりそれぞれ延出された二枚の舌片と、
前記二枚の舌片を互いに重ねて固定する係合部と、
を有したことを特徴とするキーケース。
【請求項２】
前記本体部の内部における、巻取リールが固定された領域と、ファスナーで開け閉めする開口部側の領域とを、隔壁部で区画したことを特徴とする前記１項に記載のキーケース。
【手続補正２】
【補正対象書類名】明細書
【補正対象項目名】０００６
【補正方法】変更
【補正の内容】
【０００６】
本発明は、
「本考案は、
「１．鍵を収容するキーケースであって、
前記キーケースが、
表シートと裏シートとを有し扁平な袋状に形成された本体部を有し、
前記本体部の一端側に、該一端側を横架する半円弧状部と該半円弧状部に連設された直線部とを有する開口部が設けられ、
前記本体部の他端側に、平坦部が設けられ、
前記開口部の全長に渡り設けられ、前記表シートと前記裏シートとを開閉させるファスナーと、
前記本体部の一端側及び他端側に配した連結環と、
鍵を接続する接続部を端部に設けたリール紐が捲回され、前記本体部の他端側に固定される巻取リールと、
前記本体部の中央部の両側よりそれぞれ延出された二枚の舌片と、
前記二枚の舌片を互いに重ねて固定する係合部と、
を有したことを特徴とするキーケース。
２．前記本体部の内部における、巻取リールが固定された領域と、ファスナーで開け閉めする開口部側の領域とを、隔壁部で区画したことを特徴とする前記１項に記載のキーケース。」である。